(57)【特許請求の範囲】
【請求項１】
委託者サーバーに設けられた第１のメモリにカード会員の残高データＡｎ２を、前記委託者サーバーに設けられた第２のメモリに加盟店の請求額データＢｎ２を蓄積するステップと、
受託者サーバに設けられた第３のメモリに前記第１のメモリに蓄積された前記残高データＡｎ２を送信して蓄積し、前記受託者サーバーに設けられた第４のメモリに前記第２のメモリに蓄積された前記請求額データＢｎ２を送信して蓄積するステップと、
前記受託者サーバに設けられた委託者残高メモリに委託者の現在の総預金残高データＺを蓄積するステップと、
前記受託者サーバに設けられた委託者状態メモリに前記委託者が正常状態であるか破綻している状態であるかを示す委託者状態データＹを蓄積するステップと、
（１）前記委託者状態データＹが委託者が正常であることを示す場合には、委託者の総預金残高データＺが、前記第３のメモリに蓄積された前記残高データＡｎ２の総額である総残高データΣＡｎ２と、前記第４のメモリに蓄積された前記請求額データＢｎ２の総額である総請求額データΣＢｎ２との和と等しいかどうか判断し、等しい場合には受益者は前記加盟店であると確定して、前記請求額データＢｎ２に基づき各加盟店に分配して送金し、
（２）前記委託者状態データＹが委託者が破綻していることを示す場合には、
（２１）委託者の総預金残高データＺが前記総請求額データΣＢｎ２に等しいかどうか判断し、等しい場合には受益者は前記加盟店であると確定して、前記請求額データＢｎ２に基づき、前記受益者の分配金銭データを計算して分配金銭を前記加盟店に送金し、
（２２）小さい場合には、受益者は前記加盟店であると確定して、前記請求額データＢｎ２に基づき、分配金銭データを比例配分して分配金銭を前記加盟店に送金し、
（２３）大きい場合には、まず受益者は前記加盟店であると確定し、前記請求額データＢｎ２に基づき、前記加盟店の分配金銭データを計算して分配金銭を前記加盟店に送金し、
（２３１）残った残高が前記総残高データΣＡｎ２に等しい場合には、受益者は前記カード会員であると確定して、前記残高データＡｎ２を基に各カード会員に送金し、
（２３２）残った残高が前記総残高データΣＡｎ２より少ない場合、受益者は前記カード会員であると確定して、前記残高データＡｎ２を基に前記残った残高を比例配分して各カード会員に送金し、
（２３３）残った残高が前記総残高データΣＡｎ２より多い場合、まず受益者は前記カード会員であると確定して、前記残高データＡｎ２を基に各カード会員に送金して、更に残った残金を前記委託者に送金するステップと、
を含むことを特徴とする信託契約における受益者決定方法。
【請求項２】
前記カード会員の残高データは、インターネットショッピングサイトのカード会員の残高データを含み、
前記加盟店の請求額データは、前記カード会員が商品を購入する加盟店の請求額データを含むことを特徴とする請求項１に記載の受益者決定方法。
【請求項３】
受託者サーバに設けられ、委託者サーバの第１のメモリに蓄積されたカード会員の残高データＡｎ２を受信して蓄積する第３のメモリと、
前記受託者サーバーに設けられ、委託者サーバの第２のメモリに蓄積された加盟店の請求額データＢｎ２を受信して蓄積する第４のメモリと、
前記受託者サーバに設けられ、委託者の現在の総預金残高データＺを蓄積する委託者残高メモリと、
前記受託者サーバに設けられ、前記委託者が正常状態にあるか破綻している状態にあるかを示す委託者状態データＹを蓄積する委託者状態メモリと、
（１）前記委託者状態データＹが委託者が正常であることを示す場合には、委託者の総預金残高データＺが、前記第３のメモリに蓄積された前記残高データＡｎ２の総額である総残高データΣＡｎ２と、前記第４のメモリに蓄積された前記請求額データＢｎ２の総額である総請求額データΣＢｎ２との和と等しいかどうか判断し、等しい場合には受益者は前記加盟店であると確定して、前記請求額データＢｎ２に基づき各加盟店に分配して送金し、
（２）前記委託者状態データＹが委託者が破綻していることを示す場合には、
（２１）委託者の総預金残高データＺが前記総請求額データΣＢｎ２に等しいかどうか判断し、等しい場合には受益者は前記加盟店であると確定して、前記請求額データＢｎ２に基づき、前記受益者の分配金銭データを計算して分配金銭を前記加盟店に送金し、
（２２）小さい場合には、受益者は前記加盟店であると確定して、前記請求額データＢｎ２に基づき、分配金銭データを比例配分して分配金銭を前記加盟店に送金し、
（２３）大きい場合には、まず受益者は前記加盟店であると確定し、前記請求額データＢｎ２に基づき、前記加盟店の分配金銭データを計算して分配金銭を前記加盟店に送金し、
（２３１）残った残高が前記総残高データΣＡｎ２に等しい場合には、受益者は前記カード会員であると確定して、前記残高データＡｎ２を基に各カード会員に送金し、
（２３２）残った残高が前記総残高データΣＡｎ２より少ない場合、受益者は前記カード会員であると確定して、前記残高データＡｎ２を基に前記残った残高を比例配分して各カード会員に送金し、
（２３３）残った残高が前記総残高データΣＡｎ２より多い場合、まず受益者は前記カード会員であると確定して、前記残高データＡｎ２を基に各カード会員に送金して、更に残った残金を前記委託者に送金する判断部と、
を含むことを特徴とする信託契約における受託者システム。
【請求項４】
前記カード会員の残高データは、インターネットショッピングサイトのカード会員の残高データを含み、
前記加盟店の請求額データは、前記カード会員が商品を購入する加盟店の請求額データを含むことを特徴とする請求項３項に記載の受託者システム。
【発明の詳細な説明】
【０００１】
【発明の属する技術分野】
本発明は、信託契約における受益者決定方法とシステムに関する。
【０００２】
【従来の技術】
従来、受益者が当初決定されていない信託契約の場合、受託者は委託者と締結した信託契約に定める方法に従い、受託者は委託者から書類を受領し、随時受益者を決定している。
【０００３】
しかしながら、委託者のビジネスに従って複雑な過程を経て受益者が確定する場合、受益者が随時変更される場合、あるいは、委託者が倒産し即時受益者を確定する必要がある場合などにおいては、受託者が書類ベースでの受益者確定作業を行うと、時間を要し、その結果、例えば受益者への送金が遅れるなど、受益者の権利保全に支障が生じてしまう場合がある。
【０００４】
以下、図1を参照して、従来の受益者決定システムを説明する。
【０００５】
例えば委託者がインターネット決済を行うベンチャー企業であるとする。そして、この委託者の預金口座３に、ビジネスの特性上受託者に帰属しない金銭が、インターネットの利用者１の口座１から資金移動１に基づいて移動して滞留するとする。
【０００６】
委託者は、自らに帰属しない金銭を、将来帰属する権利者(受益者)のために、他益信託契約を信託銀行である受託者と締結する。対象となる金銭は受託者の預金口座４に資金移動２に基づいて移動する。但し、信託契約締結時には受益者は特定されていない。
【０００７】
委託者はインターネット上のビジネスを展開しており、実質受益者を特定する情報は電子情報である。この電子情報を紙面に印刷し、委託者から受託者に送付し、受託者が信託契約に定める方法で受益者を確定する。
【０００８】
このような受益者確定システムでは、時間を要し、インターネット上のビジネススピードに比べ受益者確定作業が極めて遅いものとなる。
【０００９】
受益者確定が遅れると、インターネット取引の決済が最終的に遅れてしまうか、あるいは、受益者が即座に確定されないために権利保全が不十分な状態が続き、受益者にとってビジネス上支障が生じてしまう問題があった。
【００１０】
【発明が解決しようとする課題】
本発明は、上記のような状況が生じない様に、委託者のシステムと受託者のシステムを電子的に繋げることによって、即座に受益者を確定できる方法とシステムを提供することを目的とする。
【００１１】
即ち、本発明は、受益者確定作業の効率化・自動化を履行できる方法とシステムを提供することを目的とする。
【００１２】
【課題を解決するための手段】
上記目的を達成する本発明の信託契約における受益者決定方法は、委託者サーバーに設けられた第１のメモリにカード会員別データを、前記委託者サーバーに設けられた第２のメモリに加盟店別データを蓄積するステップと、受託者サーバに設けられた第３のメモリに前記第１のメモリに蓄積されたカード会員別データを送信し、前記受託者サーバーに設けられた第４のメモリに前記第２のメモリに蓄積された加盟店別データを送信するステップと、前記受託者サーバに設けられた委託者残高メモリに委託者の預金残高データを蓄積するステップと、前記受託者サーバに設けられた委託者状態メモリに委託者状態データを蓄積するステップと、前記第３のメモリに蓄積されたカード会員別データと、前記第４のメモリに蓄積された加盟店別データと、前記委託者状態メモリに蓄積された預金残高データと、前記委託者状態メモリに蓄積された委託者状態データとに基づいて、前記受託者サーバが受益者を確定すると共に、前記受益者の分配金銭データを計算して分配金銭を前記受益者に送金するステップとを含むことを特徴とする。
【００１３】
受益者を確定するステップにおいて、前記委託者状態データが委託者が破綻していることを示す場合には、前記委託者の預金残高データを確定し、前記受益者の前記分配金銭データを計算してもよい。
【００１４】
カード会員別データは、インターネットショッピングサイトのカード会員の残高データを含み、前記加盟店別データは、前記カード会員が商品を購入する加盟店の請求額データを含んでもよい。
【００１５】
上記目的を達成する本発明の信託契約における受託者システムは、受託者サーバに設けられ、委託者サーバの第１のメモリに蓄積されたカード会員別データを受信する第２のメモリと、前記受託者サーバーに設けられ、委託者サーバの第３のメモリに蓄積された加盟店別データを受信する第４のメモリと、前記受託者サーバに設けられ、委託者の預金残高データを蓄積する委託者残高メモリと、前記受託者サーバに設けられ、委託者状態データを蓄積する委託者状態メモリと、前記第２のメモリに蓄積されたカード会員別データと、前記第４のメモリに蓄積された加盟店別データと、前記委託者状態メモリに蓄積された預金残高データと、前記委託者状態メモリに蓄積された委託者状態データとに基づいて、受益者を確定すると共に、前記受益者の分配金銭データを計算して分配金銭を前記受益者に送金する判断部と、
を含むことを特徴とする。
【００１６】
また、前記判断部は、前記委託者状態データが前記委託者が破綻したことを示す場合には、前記委託者の預金残高データを確定して前記受益者に分配する金銭の額を決定してもよい。
【００１７】
更にまた、前記カード会員別データは、インターネットショッピングサイトのカード会員の残高データを含み、前記加盟店別データは、前記カード会員が商品を購入する加盟店の請求額データを含んでいてもよい。
【００１８】
【作用】
上記構成によると、委託者サーバーと受託者サーバーが電子的に結合され、委託者サーバーのデータが即座に受託者サーバーに送られることから、時間的遅延なく受益者を確定できるので、透明性のある資金分割管理が可能となる。
【００１９】
また、インターネットショッピングの決済に応用すると、ネットビジネスを円滑に行うことができる。
【００２０】
【発明の実施の形態】
以下、図２乃至図６を参照して本発明の実施形態を説明する。
【００２１】
委託者は、会員制のインターネットショッピングサイトをインターネット６上に開き、カード会員Ａ１、Ａ２、Ａ３にプリペイドカードを発行している。カード会員Ａ１、Ａ２、Ａ３は、プリペイドカードを用いて、インターネット６上で加盟店Ｂ１，Ｂ２，Ｂ３から商品を購入する。
【００２２】
プリペイドカードは例えばコンビニエンスストアで販売され、カード会員Ａ１、Ａ２、Ａ３の支払いに基づき、契約銀行に設けられた委託者口座２０にコンビニエンスストアの端末５とインターネット６を介して入金される。この入金は、専用回線を用いて入金される場合もあり、或いは現金によりなされる場合もある。
【００２３】
委託者サーバー８は、入出力装置１０、ＣＰＵ１２、メインメモリ１４、カード会員別データを蓄積している第１のメモリ１６、加盟店別データを蓄積している第２のメモリ１８とからなる。
【００２４】
なお委託者は、契約銀行にある委託者口座２０から出金できない構成となっている。即ち、委託者は委託者口座２０の金銭を自由に出し入れできない構成となっている。
【００２５】
カード会員Ａ１、Ａ２、Ａ３が加盟店Ｂ１，Ｂ２，Ｂ３から商品を購入すると、その情報は、加盟店Ｂ１，Ｂ２，Ｂ３からインターネット６を介して委託者サーバー８に伝えられ、図３に示すカード会員別データＡが蓄積された第１のメモリ１６の残高データＡｎ２は、メインメモリ１４に格納されたプログラムを用いてＣＰＵ１２により書き換えられる。
【００２６】
一方、図４に示す加盟店別データＢが蓄積された第２のメモリ１８の請求額データＢｎ２も、メインメモリ１４に格納されたプログラムを用いてＣＰＵ１２により書き換えられる。
【００２７】
例えば信託銀行にある受託者サーバー２２は、入出力装置２４、ＣＰＵ２６、メインメモリ２８、カード会員別データを蓄積している第３のメモリ３０、加盟店別データを蓄積している第４のメモリ３２、委託者の預金残高Ｚを蓄積している委託者残高メモリ３４、委託者の状態Ｙを蓄積している委託者状態メモリ３６とからなる。
【００２８】
委託者サーバー８のＣＰＵ１２は、入出力装置１０を介して例えば定期的に受託者サーバー２２にカード会員別データＡ及び加盟店別データＢを送信する。送信されたカード会員別データＡは、受託者サーバー２２の第３のメモリ３０に格納され、送信された加盟店別データＢは、受託者サーバー２２の第４のメモリ３２に格納される。
【００２９】
信託銀行では、毎日銀行の委託者口座２０の預金残高を調べ、図５に示す預金残高データＺは入出力装置２４を用いて委託者残高メモリ３４に格納される。
【００３０】
また、信託銀行では、委託者の状態、即ち正常な状態０であるか、破綻した状態１であるかを調べ、図５に示す委託者状態データＹは入出力装置２４を用いて委託者状態メモリ３６に格納される。
【００３１】
次に図６を参照して、受託者サーバー２２の動作を説明する。
【００３２】
まず、ステップＳ１において、委託者サーバー８から会員別データＡ，加盟店別データＢが送信され、それらのデータを受託者サーバー２２は自動取り込みを行い、会員別データＡは第３のメモリ３０に、加盟店別データＢは第４のメモリ３２に格納する。
【００３３】
ステップ２において、受託者サーバー２２に委託者残高データＺ，委託者状態データＹが入力される。委託者の預金残高データＺは、銀行口座２０を参照して入出力装置２４から入力され、委託者残高メモリ３４に格納される。また、委託者の状態データＹは、現実の委託者の状態を基に判断されて、入出力装置２４から入力され、委託者状態メモリ３６に格納される。
【００３４】
次にステップＳ３において、受託者サーバーのＣＰＵ２６により、受託者状態データＹが１、即ち委託者が破綻しているかどうか判断され、破綻していなければステップＳ４に進む。
【００３５】
ステップＳ４では、委託者預金残高データＺがカード会員総残高ΣAn2と加盟店総請求額ΣBn2の和、即ちZ＝Σ（An2＋Bn2）に等しいか否かを判断し、等しい場合には、ステップ５に進んで加盟店別データＢの請求額データBn2に基づき、各加盟店の銀行口座３８，４０，４２に請求額を振込む。
【００３６】
ステップＳ４において、Z＝Σ（An2＋Bn2）が成立しない場合には、ステップＳ１に戻り、委託者に委託者サーバー８のデータチェックと、修正データＡ，Ｂの送信を要求する。
【００３７】
ステップＳ３において、委託者が破綻していると判断すると、ステップＳ６に進み、Z＝ΣBn2であるか否かを判断する。Z＝ΣBn2である場合には、ステップＳ７に進み、加盟店別データＢの請求額データBn2に基づき、各加盟店の銀行口座３８，４０，４２に請求額を振込む。
【００３８】
ステップＳ６において、Z＜ΣBn2である場合には、ステップＳ８に進み、加盟店別データＢの請求額データBn2に基づき、例えば比例配分して、各加盟店の銀行口座３８，４０，４２に調整振込み金額を振込む。例えば加盟店Ｂ１の調整振込み金額は、B12ｘZ／ΣBn2である。例えば加盟店Ｂ１の調整振込み金額は、5000ｘZ／ΣBn2である。
【００３９】
このような調整振込み金額を決めるのは、委託者が破綻している際の委託者の預金残高が加盟店の請求額より少ないため、全額の支払いは不可能であるので、調整を行う必要があるからである。
【００４０】
本発明のように、委託者のデータが受託者に即刻知らされるシステムにおいては、時間的遅延を起こすことなく受益者に即刻金銭的支払いを行うことができるので、取引の安定、及び取引の信用向上を図ることができる。
【００４１】
ステップＳ６において、Ｚ＞ΣBn2である場合には、委託者の預金残高Ｚが請求額を超える程余分にあるので、ステップＳ９に進み、まず、加盟店別データＢの請求額データBn2に基づき、各加盟店の銀行口座３８，４０，４２に請求額を振込む。
【００４２】
次にステップＳ１０に進んで、残りの金額の配分を各カード会員に行う。
【００４３】
即ち、ステップＳ１０において、Z−ΣBn2＝ΣAn2であるか否かを判断する。Z−ΣBn2は、委託者の預金口座Ｚの金額から各加盟店の請求額ΣBn2を支払った後に残る残余金を示している。
【００４４】
Z−ΣBn2＝ΣAn2である場合には、ステップＳ１１に進み、カード会員残高An2の金額を各カード会員の銀行口座４４，４６，４８に振込む。
【００４５】
Z−ΣBn2＜ΣAn2である場合には、カード会員残高An2の各データを基に、例えば比例配分し、各カード会員の銀行口座４４，４６，４８に調整振込み金額を振込む。例えばカード会員A１の調整振込み金額は、A12ｘ（Z−ΣBn2）／ΣAn2である。例えばカード会員A1の調整振込み金額は、30000ｘ（Z−ΣBn2）／ΣAn2である。
【００４６】
Z−ΣBn2＞ΣAn2である場合には、委託者の預金残高から、加盟店に請求金額を支払っても、まだなお残余金がある場合である。この場合には、まずステップＳ１３に進み、各カード会員にカード残高を支払、その後ステップＳ１４に進んで、残金（Z−ΣBn2−ΣAn2）を委託者の委託者口座２０に振込む。
【００４７】
上記のような第１の実施形態によれば、資金の分割管理により資金の透明性が担保され、ネットビジネス決済を利用することにより、受益者の適切な保護が可能となる。即ち、カード会員、加盟店の利益保護が適切に行われるので、資金提供が安心して行え、ネットビジネスを拡大することが可能となる。
【００４８】
【発明の効果】
本発明によると、時間的遅延なく受益者を確定できるので、透明性のある資金分割管理が可能となる。
【００４９】
また、インターネットショッピングの決済に応用すると、ネットビジネスを円滑に拡大することができる。
【図面の簡単な説明】
【図１】従来の受益者決定システムを説明するブロック図である。
【図２】本発明の第１の実施形態に係る受益者決定システムを説明するブロック図である。
【図３】カード会員別データＡを示す図である。
【図４】加盟店別データＢを示す図である。
【図５】委託者の預金残高Ｚと委託者状態を示す図である。
【図６】本発明の受益者決定システムの動作を示すフローチャートである。
【符号の説明】
Ａ１、Ａ２、Ａ３…カード会員
Ｂ１，Ｂ２，Ｂ３…加盟店
５…端末
６…インターネット
８…委託者サーバー
１０…入出力装置
１２…ＣＰＵ
１４…メインメモリ
１６…カード会員別データを蓄積している第１のメモリ１６
１８…加盟店別データを蓄積している第２のメモリ
２０…委託者口座
２２…受託者サーバー
２４…入出力装置
２６…ＣＰＵ
２８…メインメモリ
３０…カード会員別データを蓄積している第３のメモリ
３２…加盟店別データを蓄積している第４のメモリ
３４…委託者の預金残高Ｚを蓄積している委託者残高メモリ
３６…委託者の状態Ｙを蓄積している委託者状態メモリ
３８，４０，４２…加盟店の銀行口座
４４，４６，４８…カード会員の銀行口座
【図１】
0005005134.tif 000002
【図２】
0005005134.tif 000003
【図３】
0005005134.tif 000004
【図４】
0005005134.tif 000005
【図５】
0005005134.tif 000006
【図６】
0005005134.tif 000007